(57)【要約】      （修正有）【課題】犬の粗相対策として有用なる犬用おむつを提供する。【解決手段】透液性を有するトップシートと不透液性を有するバックシート２を、各々同形同サイズとして設け、液体吸収性を有する吸収体を上記シートより小サイズとして設け、トップシートとバックシートを、吸収体を内包して上下に貼着して、以上の構成によるおむつ本体を設け、この貼着した両シート適所にシート長辺より短い適当長のミシン目を設け、このミシン目よりシート部分を切り離すことにより、細長結び紐５部分の形成を可能とするよう構成したことを特徴とする。【選択図】図７
0003186304.tif 000002
【実用新案登録請求の範囲】
【請求項１】
透液性を有するトップシートと不透液性を有するバックシートを、各々同形同サイズとして設け、液体吸収性を有する吸収体を上記シートより小サイズとして設け、トップシートとバックシートを、吸収体を内包して上下に貼着して、以上の構成によるおむつ本体を設け、この貼着した両シート適所にシート長辺より短い適当長のミシン目を設け、このミシン目よりシート部分を切り離すことにより、細長結び紐部分の形成を可能とするよう構成したことを特徴とする犬用おむつ。
【請求項２】
ミシン目部分に代えてあらかじめ切り離しておくものとした請求項１記載の犬用おむつ。
【請求項３】
適当長の帯体を設けるとともに、該帯体を環状に係止可能となるよう、その両端近傍に係止手段を設けて、以上の構成による保持ベルトを設け、この保持ベルトと前項記載のおむつ本体とを組み合わせたことを特徴とする犬用おむつ。
【請求項４】
保持ベルトを、その短辺巾を違えて２種設けてなる請求項３記載の犬用おむつ。
【考案の詳細な説明】
【技術分野】
【０００１】  この考案は、特に室内犬に用いて便利なる、犬用のおむつに関する。
【背景技術】
【０００２】  従来より、紙おむつは人体用として多用されているが、犬専用のおむつは見あたらない。
【考案の概要】
【考案が解決しようとする課題】
【０００３】  通常、紙おむつは人体から排出するものを受け止め、吸収して処理するもので、使い捨て用品として用いられている。この紙おむつは、透液性のトップシート、不透液性のバックシート、そしてこれらシート間に位置する吸収体から構成され、トップシートを内側にして用いられる。室内犬の場合は、犬用のトイレもあるが、犬の高齢化とともにきちんと所定場所での排泄が思うようにならず、粗相をしてしまう場合があるが、これに対する適切な手段が見あたらないのが現状である。
本案は以上に鑑み、これら粗相の場合にても有効なる、新規かつ有用なる手段としての専用物品を提供することを目的として考案されたものである。
【課題を解決するための手段】
【０００４】  課題を解決する手段として本案は以下の構成とした。
すなわち、透液性を有するトップシートと不透液性を有するバックシートを、各々同形同サイズとして設け、液体吸収性を有する吸収体を上記シートより小サイズとして設け、トップシートとバックシートを、吸収体を内包して上下に貼着して、以上の構成によるおむつ本体を設け、この貼着した両シート適所にシート長辺より短い適当長のミシン目を設け、このミシン目よりシート部分を切り離すことにより、細長結び紐部分の形成を可能とするよう構成する。
本案は以上の構成よりなる犬用紙おむつである。
【考案の効果】
【０００５】  本案は、下記の効果を有する。
１．結び紐と保持ベルトにて犬胴へ装着する方式のため、簡便に利用することができる。
２．おむつ本体と２本の保持ベルトを用いることにて、犬胴にフィットした装着が可能で  あるとともに、犬胴サイズに適合した用い方ができる。
３．おむつ本体中央適所に適当長のスリットを設けることにて、雌犬や固形排泄物にも対  応することができる。
４．従来の人体用紙おむつに比べ、簡素な構成のため、低コストでの製作ができる。
【図面の簡単な説明】
【０００６】
【図１】  本考案の平面図
【図２】  本考案の正面図
【図３】  本考案の要部拡大説明図
【図４】  本考案の縮小正面図（ミシン目よりシートを切り離した状態）
【図５】  本考案の保持ベルト平面図（細巾）
【図６】  本考案の保持ベルト正面図（太巾）
【図７】  本考案の使用状態図
【考案を実施するための最良の形態】
【０００７】  以下、本考案の実施形態について説明する。
図において、１はトップシートで、平面視において長方形状のシート体である。このトップシートは、尿などの体液をすみやかに透過させる透液性を有する素材から形成され、体液を受けて吸収体まで運ぶ機能を有している。合成繊維、再生繊維、綿などの天然繊維を用いて加工形成される。２はバックシートで、吸収体を固定する外装体を構成している。
このバックシートは、前記のトップシートと同形同サイズであるが、不透液性を有する素材から形成され、体液などの外部への染み出しや漏れ出しを防ぐ機能を有する。
このバックシートは、例えばポリエチレンフィルムからなるシート材であって、蒸れ防止の観点から、透湿性を有することが好ましい。
３は吸収体で、前記シート体よりやや小形の長方形体である。この吸収体は綿やパルプなどの吸収性素材や、繊維などと高吸収性ポリマーのような高吸収性樹脂とが組み合わされて形成され、透液性のクレープ紙、不織布、穴あきシート等の被服材により覆われて構成される。トップシートとバックシートは、その間に吸収体を位置させて貼着一体化され、おむつ本体が形成される。この双方のシートは吸収体より平面視において大であり、その縁部は両シートの貼着部分のみとなるが、このシートの長辺方向において、トップシート辺と吸収体辺との中間個所にて、該シートの一端より他端近傍へ至るミシン目４が各々設けられる。
１０は細巾保持ベルトで、細巾布体１１の両端近傍に面ファスナー１２を各々設けて、その両端係止にて環状にすることができるものである。１３は太巾保持ベルトで、太巾布体１４の両端近傍に面ファスナー１５を各々設けたものである。
以上が、本案の一実施形態である。【０００８】  次に、本案の使用について説明する。
まず、図４にて示すように、ミシン目よりシート側部を切り離して、結び紐部５を形成する。このミシン目は前記したように両シートの一方の短辺端から長辺方向に沿って他方の短辺近傍まで伸びて、このミシン目からの切り離しにて、図のごとく、その一部をおむつ本体に接続した結び紐部ができあがる。
犬への装着に際しては、まずシート体をトップシート側が犬に接するように犬胴下部にあてがい、結び紐部にて犬胴に結んで固定する。次に、おむつ本体を犬の後ろ足近傍まで伸ばして、まずここで細巾の保持ベルトにて犬体におむつ本体後部を保持させる。次に、犬胴長より長いおむつ本体部分を前下側に折曲し、その端部をその上から太巾の保持ベルトにて犬胴に保持させる。これにて装着が完了する。
雄犬の場合、犬の排泄体液は犬胴前方に放出されるので、その放出体液はおむつの吸収体に吸収されるので、従来のような粗相の後始末に煩わされることが無くなる。用足し後は、既述と逆手順にて犬体よりおむつを取り外して廃棄することができる。
雌犬のときは、シート体を折曲せずに後ろ足の間を通して犬胴後部上面まで位置させ、既述方式のように双方の保持ベルトにて犬胴に保持させる。
これは、雌犬の場合は、体液の放出方向が雄犬とは異なるための処置である。なお、犬の尾がじゃまになるので、図１にて示すように、切断部２０を設けることにて、尾をかわして装着することができる。あるいは、この切断部適所を尾の太さに合わせて丸くカットすることが望ましい。【０００９】  以上、本案について記したが、本案は小型犬胴下部のほぼ全域を覆って装着できるところにその特徴を有するものである。従来はこのようなものが無く、犬用パンツしかないために、雄犬の放出体液はこのパンツより外部に漏洩して、犬の粗相の対応策としては不十分であった。しかるに本案は、犬胴下方の前部から後部に至るほぼ全域をカバーする方式のために、雄犬の粗相対策として十分用をなすものとなったのである。そして、シート後部を折り返して装着するために、犬胴長に沿った対応が可能であり、また細巾と太巾のダブル保持方式としたために、犬胴にフィットした安定装着ができるのである。
雌犬の場合においては、シートを折り返さずに犬尾より上方へあてがって装着することにて、対応が可能である。また、既述のごとく切断部を設けると、犬尾をかわして装着でき、さらに、この切断部いわゆるスリット適所を円形など適宜に切除することにて、尾部にじゃまされることなくスムースに装着ができ、少量の固形排泄物の処理も可能である。
なお、結び紐部を犬の首輪下側部の下から通して上に引き上げ、クロスさせて両端を結びつけて用いることもでき、このとき、犬の前足は結び紐の前方となるようにするとよい。
また、既述のミシン目に代えて、あらかじめ切断しておくものとしてもよく、保持ベルトの係止手段としては既述の面ファスナー以外に、ホック、結び紐方式を用いてもよい。
なお、本案は、犬以外に猫その他の小動物にも応用が可能である。
以上のごとく、本案は構成シンプルにして製作コスト面での問題もなく、重宝に利用できる有用なる物品を提供することができる。
【符号の説明】
【００１４】  １  トップシート
２  バックシート
３  吸収体
４  ミシン目
５  結び紐部
１０  細巾保持ベルト
１１  細巾布体
１２  面ファスナー
１３  太巾保持ベルト
１４  太巾布体
１５  面ファスナー
２０  切断部
【図１】
0003186304.tif 000003
【図２】
0003186304.tif 000004
【図３】
0003186304.tif 000005
【図４】
0003186304.tif 000006
【図５】
0003186304.tif 000007
【図６】
0003186304.tif 000008
【図７】
0003186304.tif 000009
【手続補正書】
【提出日】平成25年7月12日(2013.7.12)
【手続補正１】
【補正対象書類名】実用新案登録請求の範囲
【補正対象項目名】請求項３
【補正方法】変更
【補正の内容】
【請求項３】
適当長の帯体を設けるとともに、該帯体を環状に係止可能となるよう、その両端近傍に係止手段を設けて、以上の構成による保持ベルトを設け、この保持ベルトと前記おむつ本体とを組み合わせたことを特徴とする請求項１または２記載の犬用おむつ。